(57)【要約】      （修正有）【課題】おむつ交換を確実・容易に行える乳幼児用衣服を提供する。【解決手段】上衣部と下衣部とが一体に連結され、前身頃下衣部３ａ下側及び後身頃下衣部下側に股覆い垂下片１０，１１がそれぞれ延設された乳幼児用衣服２に、前垂下片１０が上方向に折り上げられ重ね合わせた状態を係脱自在の前下留具Ｓａ，前上留具Ｓｂで保持でき、かつ後垂下片１１が上方向に折り上げられ重ね合わせた状態を係脱自在の後下留具Ｔａ，又は後下部上位留具Ｔｃのいずれか一方を後上留具で保持できる構造とする。【選択図】図４
0003145298.tif 000002
【実用新案登録請求の範囲】
【請求項１】
上衣部（３ｂ，４ｂ）と下衣部（３ａ，４ａ）とが一体に連結され、前下衣部（３ａ）及び後下衣部（４ａ）にそれぞれ前後の股覆い垂下片（１０，１１）が延設され、２個の下留具（Ｓａ，Ｓａ）付前垂下片（１０）が上方向に折り上げられ前上留具（Ｓｂ）付前上衣部（３ｂ）と重ね合わせた状態を、上前留具（Ｓｂ）と２個の前下留具（Ｓａ，Ｓａ）のいずれか１つと係合保持し、かつ２個の後下留具（Ｔａ，Ｔａ）と後下部上位留具（Ｔｃ）とが付いたところの後垂下片（１１）が上方向に折り上げられ、後上留具（Ｔｂ）付後上衣部（４ｂ）と重ね合わせた状態を、後上留具（Ｔｂ）に２個の後下留具（Ｔａ，Ｔａ）のいずれか一方或いは後下部上位留具（Ｔｃ）を係止して保持する構造とした乳幼児用衣服。
【考案の詳細な説明】
【技術分野】
【０００１】
本考案は、乳幼児用衣服に関するもので、おむつ交換を容易にする、首回り襟から股部まで一体に連結された股部開閉型の乳幼児用衣服に関するものである。
【背景技術】
【０００２】
首回りから股部まで一体に連結された股部開閉型の乳幼児用衣服において、胸から腰部までが筒状のものがある。
【０００３】
股部開閉型の衣服においては、立った状態の乳幼児の股の部分で留具を外すと、胴部の前後両側に前垂下片と後垂下片とが垂下する。
【０００４】
一般には、各垂下片を手で持上げ、乳幼児衣服の首回りの襟の部分に引掛け、おむつ交換を行っている。しかしこの方法でおむつ交換をすると、乳幼児が動くことで襟から垂下片が外れて垂下がり、肌着が汚れたり、両手での作業が難しくなっていた。
【０００５】
そこで、持上げた垂下片を洗濯挟みを用いて襟部分に係止しておむつ交換も行われている。しかしこの手段によるときは、洗濯挟みが乳幼児の首に当たるため、乳幼児が嫌がる。また、洗濯挟み等の器具を携帯して外出する必要がある。
【０００６】
更に冬場等は、防寒着などの上着を脱がせておむつ交換をしているが、乳幼児に寒中に脱がせるという煩わしさがあった。
【０００７】
【特許文献１】特開２００４−３５３１０２号公報
【考案の開示】
【考案が解決しようとする課題】
【０００８】
本考案の目的は、乳幼児を立たせた状態でおむつの交換をするとき、乳幼児用衣服の前後の垂下片を前後身頃の上衣部へ折り上げて重ね合わせ状態の保持を可能とすることにより、おむつの交換を容易にすることができる乳幼児用衣服を提供することにある。
【課題を解決するための手段】
【０００９】
用語の定義・・・本明細書及び実用新案登録請求の範囲において、乳幼児とは、おむつ交換を必要とする乳幼児である。
留具とは、ホック，ボタン，スナップボタン等または面ファスナーのことである。
P型・Ｑ型は凸型・凹型の関係にあり、P型とＱ型の組合せのとき係合され、P型とP型は非係合、Ｑ型とＱ型も非係合である。
衣服に関する内面・内側，外面・外側は乳幼児が着用したとき、乳幼児側が内面・内側で、大気側が外面・外側である。
【００１０】
図面を参考にして説明する。この考案に係る乳幼児用衣服２は、上衣部３ｂ，４ｂと下衣部３ａ，４ａとが一体に連結され、前下衣部３ａ及び後下衣部４ａにそれぞれ前後の股覆い垂下片１０，１１が延設され、２個の前下留具Ｓａ，Ｓａ付前垂下片１０が上方向に折り上げられ前上留具Ｓｂ付前上衣部３ｂに重ね合わせた状態を、前上留具Ｓｂと２個の前下留具Ｓａ，Ｓａのいずれか１つと係合保持し、かつ２個の後下留具Ｔａ，Ｔａと後下部上位留具Ｔｃとが付いたところの後垂下片１１が上方向に折り上げられ、後上留具Ｔｂ付後上衣部４ｂと重ね合わせた状態を、後上留具Ｔｂに２個の後下留具Ｔａ，Ｔａのうちいずれか一方或いは後下部上位留具Ｔｃを係止して保持する構造としたものである。
【考案の効果】
【００１１】
この考案に係る衣服２は、前垂下片１０及び後垂下片１１の先端または垂下片１１の上部を襟元で係止することで、乳幼児が動いても、前垂下片１０及び後垂下片１１が垂下がることがないので、おむつ交換の際、肌着を汚すことがなく、更には両手で安心して安全におむつ交換を容易にすることが出来る。また、衣服２の外部に留具が付けられているため、首元に当たる心配がなく、嫌がられない。留具が備え付けられているため、洗濯挟みなどを携帯しておく必要がない。前後の垂下片１０，１１で上着を包み込むようになるため、上着を着たままのおむつ交換が出来る。そのため、寒さを軽減出来る。また、脱ぐという煩わしさを排除出来る。
【考案を実施するための最良の形態】
【００１２】
本考案に係る乳幼児用衣服の一実施形態を図４から図８に基づき説明する。
【００１３】
衣服２は、首回り部５から股部９まで連結された前身頃３と後身頃４を有し、前下衣部３ａには股覆い前垂下片１０を、また後下衣部４ａには股覆い後垂下片１１を延設している。６は袖、８は足挿通口縁である。
【００１４】
そして、前垂下片１０の外面下端に設けた２個のホック状Ｐ型前下留具Ｓａ，Ｓａに、後垂下片１１の内面下端に設けた２個のホック状Ｑ型後下留具Ｔａ，Ｔａを係止することにより前後の垂下片１０，１１を連結する。
【００１５】
そして、前身頃上衣部３ｂの上部外面に１個のホック状Ｑ型前上留具Ｓｂが配設され、また後上衣部４ｂの上部外面に１個のホック状Ｐ型後上留具Ｔｂが配設されている。
【００１６】
そして、乳幼児１が衣服２を着用時には、前垂下片１０と後垂下片１１とを股部９において係止するため、２組のＰ型前下留具Ｓａ，ＳａにＱ型後下留具Ｔａ，Ｔａを係止する。
【００１７】
そして、おむつ１２交換時には、まず、Ｐ型前下留具Ｓａ，ＳａとＱ型後下留具Ｔａ，Ｔａとを開放する。
【００１８】
次に、図６に示す如く前垂下片１０を折り上げて２個のＰ型前下留具Ｓａ，Ｓａの内のいずれか一方をＱ型前上留具Ｓｂと係止させる。この状態で、図３に示す如く、寝た状態の乳幼児１のおむつ１２の交換をすることが出来る。
【００１９】
立った状態で乳幼児１のおむつ交換をするときには、図７に示す如く更に後垂下片１１を折上げ更にその先端部を内側に反転させて、後上留具Ｔｂに、いずれか一方の後下留具Ｔａを係止させる。このようにして、前後垂下片１０，１１が乳幼児用衣服２の胴部辺りまで折り上げられる。７は折り上げ下線である。この結果、乳幼児１に対するおむつ１２交換時には、おむつ１２を交換する人の手１３と前後垂下片１０，１１とは乖離しているので、おむつ１２の交換が極めて容易にできる。
【００２０】
さらに、おむつ１２と垂下片１０，１１とが乖離するので、垂下片１０、１１におむつ１２或いはおむつ交換時に生じる汚れに存する汚れが付着することがなくなる。
【００２１】
図７において、後上留具Ｔｂに後下留具Ｔａに係止させたとき、後身頃４の下端７の上がり方が不足するときには、充分に下半身を露出することが出来ず、肌着を汚してしまうことがある。このようなときには、図８に示す如く、後下部上位留具Ｔｃを後上留具Ｔｂに係合させ且つ後垂下片１１の上端部を外側に反転させて垂下させる。このようにすると、後身頃４の下端７を上げることが出来、下半身が充分に露出し、肌着を汚さずにおむつ交換をすることが出来る。
【００２２】
別な実施の形態について図４・図５を参考にして説明する。前下留具Ｓａを前垂下片１０の内面側に設け、且つ後下留具Ｔａを後垂下片１１の外面側に設けたものである。前垂片１０を折り上げたのち、更にその先端を内側に反転させて前上留具Ｓｂにいずれか一方の前下留具Ｓａを係止させる。また後垂下片１１を折り上げたのち、後上留具Ｔｂにいずれか一方の後下留具Ｔａ又は後下部上位留具Ｔｃを係止させる。
【００２３】
更に別な実施の形態について図４・図５を参考にして説明する。前後下留具Ｓａ，Ｔａに、表裏いずれにも係脱機能を有する構造のものを使用すれば、前後垂下片１０，１１を折り上げたのち、その先端を内側に反転させる必要のない乳幼児用衣服とすることが可能である。
【図面の簡単な説明】
【００２４】
【図１】本考案に係る乳幼児用衣服を着用した乳幼児が立った状態でおむつ交換をしている状態の正面図である。
【図２】図１の側面図である。
【図３】本考案に係る乳幼児用衣服を着用した乳幼児が寝た状態でおむつ交換をしている状態の平面図である。
【図４】本考案に係る一実施形態の乳幼児用衣服の正面図である。
【図５】図４の背面図である。
【図６】図４の乳幼児用衣服の前後の垂下片を折上げして留めた状態の正面図である。
【図７】図６の背面図である。
【図８】後垂下片をより高く折上げて留めた状態の背面図である。
【符号の説明】
【００２５】
１        乳幼児
２        乳幼児用衣服
３        前身頃
３a       前下衣部
３ｂ      前上衣部
４        後身頃
４a       後下衣部
４ｂ      後上衣部
５        首回り部
６        袖
７        折上げ下線
８        足挿通口縁
９        股部
１０      前垂下片
１１      後垂下片
１２      おむつ
１３      手
Ｓａ      前下留具
Ｓｂ      前上留具
Ｔａ      後下留具
Ｔｂ      後上留具
Ｔｃ      後下部上位留具
【図１】
0003145298.tif 000003
【図２】
0003145298.tif 000004
【図３】
0003145298.tif 000005
【図４】
0003145298.tif 000006
【図５】
0003145298.tif 000007
【図６】
0003145298.tif 000008
【図７】
0003145298.tif 000009
【図８】
0003145298.tif 000010
【手続補正書】
【提出日】平成20年8月7日(2008.8.7)
【手続補正１】
【補正対象書類名】実用新案登録請求の範囲
【補正対象項目名】全文
【補正方法】変更
【補正の内容】
【実用新案登録請求の範囲】
【請求項１】
上衣部（３ｂ，４ｂ）と下衣部（３ａ，４ａ）とが一体に連結され、前下衣部（３ａ）及び後下衣部（４ａ）にそれぞれ前後の股覆い垂下片（１０，１１）が延設され、２個の前下留具（Ｓａ，Ｓａ）付前垂下片（１０）が上方向に折り上げられ前上留具（Ｓｂ）付前上衣部（３ｂ）と重ね合わせた状態を、前上留具（Ｓｂ）に２個の前下留具（Ｓａ，Ｓａ）のいずれか１つを係合保持し、かつ２個の後下留具（Ｔａ，Ｔａ）と後下部上位留具（Ｔｃ）とが付いたところの後垂下片（１１）が上方向に折り上げられ、後上留具（Ｔｂ）付後上衣部（４ｂ）と重ね合わせた状態を、後上留具（Ｔｂ）に２個の後下留具（Ｔａ，Ｔａ）のいずれか一方或いは後下部上位留具（Ｔｃ）を係止して保持する構造とした乳幼児用衣服。
【手続補正２】
【補正対象書類名】明細書
【補正対象項目名】全文
【補正方法】変更
【補正の内容】
【考案の詳細な説明】
【技術分野】
【０００１】
本考案は、乳幼児用衣服に関するもので、おむつ交換を容易にする、首回りから股部まで一体に連結された股部開閉型の乳幼児用衣服に関するものである。
【背景技術】
【０００２】
首回りから股部まで一体に連結された股部開閉型の乳幼児用衣服において、胸から腰部までが筒状のものがある。
【０００３】
股部開閉型の衣服においては、立った状態の乳幼児の股の部分で留具を外すと、胴部の前後両側に前垂下片と後垂下片とが垂下する。
【０００４】
一般には、各垂下片を手で持上げ、乳幼児衣服の首回りの襟の部分に引掛け、おむつ交換を行っている。しかしこの方法でおむつ交換をすると、乳幼児が動くことで襟から垂下片が外れて垂下がり、肌着が汚れたり、両手での作業が難しくなっていた。
【０００５】
そこで、持上げた垂下片を洗濯挟みを用いて襟部分に係止しておむつ交換も行われている。しかしこの手段によるときは、洗濯挟みが乳幼児の首に当たるため、乳幼児が嫌がる。また、洗濯挟み等の器具を携帯して外出する必要がある。
【０００６】
更に冬場等は、防寒着などの上着を脱がせておむつ交換をしているが、乳幼児に寒中に脱がせるという煩わしさがあった。
【０００７】
【特許文献１】特開２００４−３５３１０２号公報
【考案の開示】
【考案が解決しようとする課題】
【０００８】
本考案の目的は、乳幼児を立たせた状態でおむつの交換をするとき、乳幼児用衣服の前後の垂下片を前後身頃の上衣部へ折り上げて重ね合わせ状態の保持を可能とすることにより、おむつの交換を容易にすることができる乳幼児用衣服を提供することにある。
【課題を解決するための手段】
【０００９】
用語の定義・・・本明細書及び実用新案登録請求の範囲において、乳幼児とは、おむつ交換を必要とする乳幼児である。
留具とは、ホック，ボタン，スナップボタン等または面ファスナーのことである。
P型・Ｑ型は凸型・凹型の関係にあり、P型とＱ型の組合せのとき係合され、P型とP型は非係合、Ｑ型とＱ型も非係合である。
衣服に関する内面・内側，外面・外側は乳幼児が着用したとき、乳幼児側が内面・内側で、大気側が外面・外側である。
【００１０】
図面を参考にして説明する。この考案に係る乳幼児用衣服２は、上衣部３ｂ，４ｂと下衣部３ａ，４ａとが一体に連結され、前下衣部３ａ及び後下衣部４ａにそれぞれ前後の股覆い垂下片１０，１１が延設され、２個の前下留具Ｓａ，Ｓａ付前垂下片１０が上方向に折り上げられ前上留具Ｓｂ付前上衣部３ｂに重ね合わせた状態を、前上留具Ｓｂに２個の前下留具Ｓａ，Ｓａのいずれか１つを係合保持し、かつ２個の後下留具Ｔａ，Ｔａと後下部上位留具Ｔｃとが付いたところの後垂下片１１が上方向に折り上げられ、後上留具Ｔｂ付後上衣部４ｂと重ね合わせた状態を、後上留具Ｔｂに２個の後下留具Ｔａ，Ｔａのうちいずれか一方或いは後下部上位留具Ｔｃを係止して保持する構造としたものである。
【考案の効果】
【００１１】
この考案に係る衣服２は、前垂下片１０及び後垂下片１１の先端または垂下片１１の上部を襟元で係止することで、乳幼児が動いても、前垂下片１０及び後垂下片１１が垂下がることがないので、おむつ交換の際、肌着を汚すことがなく、更には両手で安心して安全におむつ交換を容易にすることが出来る。また、衣服２の外部に留具が付けられているため、首元に当たる心配がなく、嫌がられない。留具が備え付けられているため、洗濯挟みなどを携帯しておく必要がない。前後の垂下片１０，１１で上着を包み込むようになるため、上着を着たままのおむつ交換が出来る。そのため、寒さを軽減出来る。また、脱ぐという煩わしさを排除出来る。
【考案を実施するための最良の形態】
【００１２】
本考案に係る乳幼児用衣服の一実施形態を図４から図８に基づき説明する。
【００１３】
衣服２は、首回り部５から股部９まで連結された前身頃３と後身頃４を有し、前下衣部３ａには股覆い前垂下片１０を、また後下衣部４ａには股覆い後垂下片１１を延設している。６は袖、８は足挿通口縁である。
【００１４】
そして、前垂下片１０の外面下端に設けた２個のホック状Ｐ型前下留具Ｓａ，Ｓａに、後垂下片１１の内面下端に設けた２個のホック状Ｑ型後下留具Ｔａ，Ｔａを係止することにより前後の垂下片１０，１１を連結する。
【００１５】
そして、前身頃上衣部３ｂの上部外面に１個のホック状Ｑ型前上留具Ｓｂが配設され、また後上衣部４ｂの上部外面に１個のホック状Ｐ型後上留具Ｔｂが配設されている。
【００１６】
そして、乳幼児１が衣服２を着用時には、前垂下片１０と後垂下片１１とを股部９において係止するため、２組のＰ型前下留具Ｓａ，ＳａにＱ型後下留具Ｔａ，Ｔａを係止する。
【００１７】
そして、おむつ１２交換時には、まず、Ｐ型前下留具Ｓａ，ＳａとＱ型後下留具Ｔａ，Ｔａとを開放する。
【００１８】
次に、図６に示す如く前垂下片１０を折り上げて２個のＰ型前下留具Ｓａ，Ｓａの内のいずれか一方をＱ型前上留具Ｓｂと係止させる。この状態で、図３に示す如く、寝た状態の乳幼児１のおむつ１２の交換をすることが出来る。
【００１９】
立った状態で乳幼児１のおむつ交換をするときには、図７に示す如く更に後垂下片１１を折り上げ更にその先端部を内側に反転させて、後上留具Ｔｂに、いずれか一方の後下留具Ｔａを係止させる。このようにして、前後垂下片１０，１１が乳幼児用衣服２の胴部辺りまで折り上げられる。７は折り上げ下線である。この結果、乳幼児１に対するおむつ１２交換時には、おむつ１２を交換する人の手１３と前後垂下片１０，１１とは乖離しているので、おむつ１２の交換が極めて容易にできる。
【００２０】
さらに、おむつ１２と垂下片１０，１１とが乖離するので、垂下片１０、１１におむつ１２或いはおむつ交換時に生じる汚れに存する汚れが付着することがなくなる。
【００２１】
図７において、後上留具Ｔｂに後下留具Ｔａを係止させたとき、後身頃４の折り上げ下線７の上がり方が不足するときには、充分に下半身を露出することが出来ず、肌着を汚してしまうことがある。このようなときには、図８に示す如く、後下部上位留具Ｔｃを後上留具Ｔｂに係合させ且つ後垂下片１１の上端部を外側に反転させて垂下させる。このようにすると、後身頃４の折り上げ下線７を上げることが出来、下半身が充分に露出し、肌着を汚さずにおむつ交換をすることが出来る。
【００２２】
別な実施の形態について図４・図５を参考にして説明する。前下留具Ｓａを前垂下片１０の内面側に設け、且つ後下留具Ｔａを後垂下片１１の外面側に設けたものである。前垂下片１０を折り上げたのち、更にその先端を内側に反転させて前上留具Ｓｂにいずれか一方の前下留具Ｓａを係止させる。また後垂下片１１を折り上げたのち、後上留具Ｔｂにいずれか一方の後下留具Ｔａ又は後下部上位留具Ｔｃを係止させる。
【００２３】
更に別な実施の形態について図４・図５を参考にして説明する。前後下留具Ｓａ，Ｔａに、表裏いずれにも係脱機能を有する構造のものを使用すれば、前後垂下片１０，１１を折り上げたのち、その先端を内側に反転させる必要のない乳幼児用衣服とすることが可能である。
【図面の簡単な説明】
【００２４】
【図１】本考案に係る乳幼児用衣服を着用した乳幼児が立った状態でおむつ交換をしている状態の正面図である。
【図２】図１の側面図である。
【図３】本考案に係る乳幼児用衣服を着用した乳幼児が寝た状態でおむつ交換をしている状態の平面図である。
【図４】本考案に係る一実施形態の乳幼児用衣服の正面図である。
【図５】図４の背面図である。
【図６】図４の乳幼児用衣服の前後の垂下片を折上げして留めた状態の正面図である。
【図７】図６の背面図である。
【図８】後垂下片をより高く折上げて留めた状態の背面図である。
【符号の説明】
【００２５】
１        乳幼児
２        乳幼児用衣服
３        前身頃
３ａ      前下衣部
３ｂ      前上衣部
４        後身頃
４ａ      後下衣部
４ｂ      後上衣部
５        首回り部
６        袖
７        折り上げ下線
８        足挿通口縁
９        股部
１０      前垂下片
１１      後垂下片
１２      おむつ
１３      手
Ｓａ      前下留具
Ｓｂ      前上留具
Ｔａ      後下留具
Ｔｂ      後上留具
Ｔｃ      後下部上位留具
【手続補正書】
【提出日】平成20年8月18日(2008.8.18)
【手続補正１】
【補正対象書類名】明細書
【補正対象項目名】００２１
【補正方法】変更
【補正の内容】
【００２１】
図７において、後上留具Ｔｂに後下留具Ｔａを係止させたとき、後身頃４の折り上げ下線７の上がり方が不足するときには、充分に下半身を露出することが出来ず、肌着を汚してしまうことがある。このようなときには、図８に示す如く、後下部上位留具Ｔｃを後上留具Ｔｂに係止させ且つ後垂下片１１の上端部を外側に反転させて垂下させる。このようにすると、後身頃４の折り上げ下線７を上げることが出来、下半身が充分に露出し、肌着を汚さずにおむつ交換をすることが出来る。